(57)【要約】【課題】通信処理の負荷を効果的に減らすことのできる移動通信機および判断プログラムを提供する。【解決手段】移動通信機は、他の移動通信機からブロードキャストされた通信情報を取得し、取得した前記通信情報に含まれる、前記他の移動通信機に係る位置を含む位置情報を取得する取得部と、自己の移動通信機の位置および方位に基づいて対象領域を特定する特定部と、前記取得部により取得された前記位置情報の前記位置と、前記特定部により特定された前記対象領域とを比較し、比較結果に基づいて、前記通信情報についての特定処理を行うか否かを判断する判断処理を行う判断部とを備える。【選択図】図１
2018018245.tif 000002
【特許請求の範囲】
【請求項１】
他の移動通信機からブロードキャストされた通信情報を取得し、取得した前記通信情報に含まれる、前記他の移動通信機に係る位置を含む位置情報を取得する取得部と、
自己の移動通信機の位置および方位に基づいて対象領域を特定する特定部と、
前記取得部により取得された前記位置情報の前記位置と、前記特定部により特定された前記対象領域とを比較し、比較結果に基づいて、前記通信情報についての特定処理を行うか否かを判断する判断処理を行う判断部とを備える、移動通信機。
【請求項２】
前記対象領域は、前記自己の移動通信機の搭載された車両と衝突する可能性のある車両が位置する領域である、請求項１に記載の移動通信機。
【請求項３】
前記特定部は、前記自己の移動通信機の搭載された車両の位置および方位ならびに進行先の交差点からの進行方向に基づいて前記対象領域を特定する、請求項１または請求項２に記載の移動通信機。
【請求項４】
前記対象領域は、前記自己の移動通信機の搭載された車両の前方における進行方向の道路区間および前記進行方向の対向方向の道路区間を含む、請求項１から請求項３のいずれか１項に記載の移動通信機。
【請求項５】
前記対象領域は、前記自己の移動通信機の搭載された車両の後方における進行方向の道路区間を含む、請求項１から請求項４のいずれか１項に記載の移動通信機。
【請求項６】
前記対象領域は、前記自己の移動通信機の搭載された車両の進行先の交差点からの進行方向の道路区間および前記進行方向の対向方向の道路区間を含む、請求項１から請求項５のいずれか１項に記載の移動通信機。
【請求項７】
前記対象領域は、前記自己の移動通信機の搭載された車両の進行先の交差点からの進行方向とは異なる方向の対向方向の道路区間を含む、請求項１から請求項６のいずれか１項に記載の移動通信機。
【請求項８】
前記判断部は、前記自己の移動通信機の移動速度が所定値以下の場合に前記判断処理を行う、請求項１から請求項７のいずれか１項に記載の移動通信機。
【請求項９】
各前記位置は、高さ方向の位置を含む、請求項１から請求項８のいずれか１項に記載の移動通信機。
【請求項１０】
前記位置情報は、前記他の移動通信機に係る方位をさらに含む、請求項１から請求項９のいずれか１項に記載の移動通信機。
【請求項１１】
前記特定処理は、前記他の移動通信機との認証処理を含む、請求項１から請求項１０のいずれか１項に記載の移動通信機。
【請求項１２】
移動通信機において用いられる判断プログラムであって、
コンピュータを、
他の移動通信機からブロードキャストされた通信情報を取得し、取得した前記通信情報に含まれる、前記他の移動通信機に係る位置を含む位置情報を取得する取得部と、
自己の移動通信機の位置および方位に基づいて対象領域を特定する特定部と、
前記取得部により取得された前記位置情報の前記位置と、前記特定部により特定された前記対象領域とを比較し、比較結果に基づいて、前記通信情報についての特定処理を行うか否かを判断する判断処理を行う判断部と、
として機能させるための、判断プログラム。
【発明の詳細な説明】
【技術分野】
【０００１】
本発明は、移動通信機および判断プログラムに関する。
【背景技術】
【０００２】
従来、車両に搭載された通信機間で位置情報などの情報の送受信を行う技術が開発されている。たとえば、特開２００５−３２８２８３号公報（特許文献１）には、以下のような車車間通信システムが記載されている。すなわち、車車間通信システムは、車両間で自車両現在位置を表す位置情報が送受信される車車間通信システムであって、前記自車両現在位置は緯度及び経度で表記される。
【０００３】
また、たとえば、特開２００９−２１７４３８号公報（特許文献２）には、以下のような交通情報通信システムが記載されている。すなわち、交通情報通信システムは、車両に搭載する車載通信装置と、歩行者が所持する携帯電話装置とが無線で通信する交通情報通信システムにおいて、上記車載通信装置は、上記搭載された車両の少なくとも自車両の位置情報、及び自車両通信装置を特定する車両ＩＤを含む車両走行情報を取得するナビゲーション部と、上記ナビゲーション部が取得した上記車両走行情報を所定の送信頻度で同報送信し、他車両の車両通信装置から受信した車両走行情報若しくは上記携帯電話装置から受信した歩行者情報を上記ナビゲーション部に出力する通信装置部とを備え、上記ナビゲーション部は、上記車両通信装置が受信した上記車両走行情報若しくは上記歩行者情報から自車両の走行の安全に影響を与える可能性のある車両を検出した場合には、対象車両の車両ＩＤを注意対象車両として検出中であることを示す注意対象車両検出中情報を自車の車両走行情報に付加して送信する。
【０００４】
また、たとえば、特開２００９−２１１３９７号公報（特許文献３）には、以下のような無線通信方法が記載されている。すなわち、無線通信方法は、複数の車載端末と少なくとも１つの路側機とから構成され、これらのノードが１つの無線伝送路を利用して多重化通信を行う車両通信システムにおける無線通信方法であって、車載端末が自車両に関する情報を取得する工程と、車載端末が、取得した自車両に関する情報に基づいて、自車両の危険の程度を表す危険度を算出する工程と、車載端末が、算出された危険度を前記路側機に通知する工程と、路側機が、危険度の高い車両の車載端末から優先的に通信資源を割り当てる工程とを含む。
【先行技術文献】
【特許文献】
【０００５】
【特許文献１】特開２００５−３２８２８３号公報
【特許文献２】特開２００９−２１７４３８号公報
【特許文献３】特開２００９−２１１３９７号公報
【発明の概要】
【発明が解決しようとする課題】
【０００６】
しかしながら、上述した特許文献１に記載の車車間通信システムのように車両間で位置情報の送受信が行われるシステムでは、渋滞時など自車両の周辺に多くの他車両が存在する場合、これら多くの他車両からそれぞれ送信される位置情報等を受信することにより、自車両の通信処理の負荷が大きくなるという問題がある。
【０００７】
この発明は、上述の課題を解決するためになされたもので、その目的は、通信処理の負荷を効果的に減らすことのできる移動通信機および判断プログラムを提供することである。
【課題を解決するための手段】
【０００８】
（１）上記課題を解決するために、この発明のある局面に係わる移動通信機は、他の移動通信機からブロードキャストされた通信情報を取得し、取得した前記通信情報に含まれる、前記他の移動通信機に係る位置を含む位置情報を取得する取得部と、自己の移動通信機の位置および方位に基づいて対象領域を特定する特定部と、前記取得部により取得された前記位置情報の前記位置と、前記特定部により特定された前記対象領域とを比較し、比較結果に基づいて、前記通信情報についての特定処理を行うか否かを判断する判断処理を行う判断部とを備える。
【０００９】
（１２）上記課題を解決するために、この発明のある局面に係わる判断プログラムは、移動通信機において用いられる判断プログラムであって、コンピュータを、他の移動通信機からブロードキャストされた通信情報を取得し、取得した前記通信情報に含まれる、前記他の移動通信機に係る位置を含む位置情報を取得する取得部と、自己の移動通信機の位置および方位に基づいて対象領域を特定する特定部と、前記取得部により取得された前記位置情報の前記位置と、前記特定部により特定された前記対象領域とを比較し、比較結果に基づいて、前記通信情報についての特定処理を行うか否かを判断する判断処理を行う判断部と、として機能させるためのプログラムである。
【００１０】
本発明は、このような特徴的な処理部を備える移動通信機として実現することができるだけでなく、かかる特徴的な処理をステップとする判断方法として実現することができる。
【００１１】
また、本発明は、このような特徴的な処理部を備える移動通信機として実現できるだけでなく、このような特徴的な処理部を備える移動通信システムとして実現することができる。また、移動通信機の一部または全部を実現する半導体集積回路として実現することができる。
【発明の効果】
【００１２】
本発明によれば、通信処理の負荷を効果的に減らすことができる。
【図面の簡単な説明】
【００１３】
【図１】図１は、本発明の実施の形態に係る移動通信機の構成を示す図である。
【図２】図２は、本発明の実施の形態に係る移動通信機の特定部によって特定される対象領域の具体例（その１）を説明するための図である。
【図３】図３は、本発明の実施の形態に係る移動通信機の特定部によって特定される対象領域の具体例（その２）を説明するための図である。
【図４】図４は、本発明の実施の形態に係る移動通信機の特定部によって特定される対象領域の具体例（その３）を説明するための図である。
【図５】図５は、本発明の実施の形態に係る移動通信機の動作手順を定めたフローチャートである。
【発明を実施するための形態】
【００１４】
最初に、本発明の実施形態の内容を列記して説明する。
【００１５】
（１）本発明の実施の形態に係る移動通信機は、他の移動通信機からブロードキャストされた通信情報を取得し、取得した前記通信情報に含まれる、前記他の移動通信機に係る位置を含む位置情報を取得する取得部と、自己の移動通信機の位置および方位に基づいて対象領域を特定する特定部と、前記取得部により取得された前記位置情報の前記位置と、前記特定部により特定された前記対象領域とを比較し、比較結果に基づいて、前記通信情報についての特定処理を行うか否かを判断する判断処理を行う判断部とを備える。
【００１６】
このような構成により、自己の移動通信機の周辺に多くの他の移動通信機が存在する状況であっても、たとえば、特定処理の対象となる通信情報を、対象領域内の他の移動通信機からブロードキャストされた通信情報に限定することができる。このため、通信処理の負荷を効果的に減らすことができる。
【００１７】
（２）好ましくは、前記対象領域は、前記自己の移動通信機の搭載された車両と衝突する可能性のある車両が位置する領域である。
【００１８】
このような構成により、特定処理を行う必要性の高い通信情報を適切に判断することができる。
【００１９】
（３）より好ましくは、前記特定部は、前記自己の移動通信機の搭載された車両の位置および方位ならびに進行先の交差点からの進行方向に基づいて前記対象領域を特定する。
【００２０】
このように、自車両の走行経路に応じて対象領域を特定することができるため、特定処理を行う必要性の高い通信情報をより適切に判断することができる。
【００２１】
（４）より好ましくは、前記対象領域は、前記自己の移動通信機の搭載された車両の前方における進行方向の道路区間および前記進行方向の対向方向の道路区間を含む。
【００２２】
このように、対象領域内に存在する他の移動通信機からの通信情報について特定処理を行う構成により、たとえば、自車両が追突するおそれのある他車両に関する情報を取得することができる。
【００２３】
（５）より好ましくは、前記対象領域は、前記自己の移動通信機の搭載された車両の後方における進行方向の道路区間を含む。
【００２４】
このように、対象領域内に存在する他の移動通信機からの通信情報について特定処理を行う構成により、たとえば、自車両へ追突するおそれのある他車両に関する情報を取得することができる。
【００２５】
（６）より好ましくは、前記対象領域は、前記自己の移動通信機の搭載された車両の進行先の交差点からの進行方向の道路区間および前記進行方向の対向方向の道路区間を含む。
【００２６】
このように、対象領域内に存在する他の移動通信機からの通信情報について特定処理を行う構成により、たとえば、自車両が交差点を通過後に追突するおそれのある他車両に関する情報を取得することができる。
【００２７】
（７）より好ましくは、前記対象領域は、前記自己の移動通信機の搭載された車両の進行先の交差点からの進行方向とは異なる方向の対向方向の道路区間を含む。
【００２８】
このように、対象領域内に存在する他の移動通信機からの通信情報について特定処理を行う構成により、たとえば、交差点内のエリアにおいて自車両と衝突するおそれのある他車両に関する情報を取得することができる。
【００２９】
（８）より好ましくは、前記判断部は、前記自己の移動通信機の移動速度が所定値以下の場合に前記判断処理を行う。
【００３０】
このような構成により、たとえば、高速道路と一般道路とが地図上で重なるようなエリアにおいて自車両が高速道路を走行している場合、一般道路を走行している他車両の移動通信機からブロードキャストされた通信情報を取得したとしても、当該他車両からの通信情報について、特定処理を行うか否かの判断処理を行うことなく、特定処理の対象から外すことができる。
【００３１】
（９）より好ましくは、各前記位置は、高さ方向の位置を含む。
【００３２】
このような構成により、たとえば、自車両が高速道路を走行しているか否かを容易に判断することができる。
【００３３】
（１０）より好ましくは、前記位置情報は、前記他の移動通信機に係る方位をさらに含む。
【００３４】
このような構成により、他の移動通信機の搭載された他車両の進行方向を把握することができるため、当該他車両の位置する領域を精度よく特定することができる。
【００３５】
（１１）より好ましくは、前記特定処理は、前記他の移動通信機との認証処理を含む。
【００３６】
このような構成により、たとえば、対象領域内に存在しない他の移動通信機からの通信情報については、通信処理の負荷が大きい認証処理を行わないようにすることができるため、通信処理の負荷をより効果的に減らすことができる。
【００３７】
（１２）本発明の実施の形態に係る判断プログラムは、移動通信機において用いられる判断プログラムであって、コンピュータを、他の移動通信機からブロードキャストされた通信情報を取得し、取得した前記通信情報に含まれる、前記他の移動通信機に係る位置を含む位置情報を取得する取得部と、自己の移動通信機の位置および方位に基づいて対象領域を特定する特定部と、前記取得部により取得された前記位置情報の前記位置と、前記特定部により特定された前記対象領域とを比較し、比較結果に基づいて、前記通信情報についての特定処理を行うか否かを判断する判断処理を行う判断部と、として機能させるためのプログラムである。
【００３８】
このような構成により、自己の移動通信機の周辺に多くの他の移動通信機が存在する状況であっても、たとえば、特定処理の対象となる通信情報を、対象領域内の他の移動通信機からブロードキャストされた通信情報に限定することができる。このため、通信処理の負荷を効果的に減らすことができる。
【００３９】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００４０】
＜構成および基本動作＞
図１は、本発明の実施の形態に係る移動通信機の構成を示す図である。
【００４１】
図１を参照して、移動通信機１０１は、たとえば、車両に固定的に搭載され、ＩＴＳ（Ｉｎｔｅｌｌｉｇｅｎｔ  Ｔｒａｎｓｐｏｒｔ  Ｓｙｓｔｅｍｓ）において用いられる無線通信機である。移動通信機１０１は、地図情報保持部１１と、自車両情報取得部１２と、特定部１３と、他車両情報取得部１４と、判断部１５と、認証部１６と、解読部１７と、通知部１８とを備える。
【００４２】
［対象領域の特定］
地図情報保持部１１は、たとえば複数の交差点および複数の道路区間に関する地図情報を保持する。地図情報保持部１１は、地図情報を予め保持していてもよいし、自己の移動通信機１０１の搭載された車両（以下、「自車両」と称する。）に設けられたカーナビゲーションシステム等の他の装置から地図情報を取得してもよい。
【００４３】
自車両情報取得部１２は、たとえば、自車両に取り付けられた各種センサから自車両に関する自車両情報を定期的に取得する。また、自車両情報取得部１２は、たとえば、取得済の自車両情報を新たに取得した自車両情報に更新することにより、最新の自車両情報を保持する。
【００４４】
自車両情報は、たとえば、ＧＰＳ（Ｇｌｏｂａｌ  Ｐｏｓｉｔｉｏｎｉｎｇ  Ｓｙｓｔｅｍ）受信機により得られた自車両の位置座標を示す位置情報、および、方位センサにより得られた自車両の進む方位を示す方位情報を含む。なお、自車両情報に含まれる方位情報は、方位センサにより得られた方位情報の代わりに、たとえば、複数の位置情報を用いて得られた方位情報でもよい。
【００４５】
また、自車両情報は、たとえば、車速センサにより得られた自車両の速度を示す速度情報、ユーザによりカーナビゲーションシステムに入力された目的地を示す目的地情報、および、ユーザによる自車両のウインカーの操作内容を示すウインカー情報をさらに含む情報であってもよい。
【００４６】
特定部１３は、自車両情報取得部１２から最新の自車両情報を取得する。また、特定部１３は、地図情報保持部１１に保持されている地図情報を取得する。
【００４７】
特定部１３は、自車両情報取得部１２から取得した最新の自車両情報および地図情報保持部１１から取得した地図情報に基づいて、対象領域を特定する。対象領域は、たとえば、自車両と衝突する可能性のある他車両が位置する領域である。なお、対象領域は、自車両と衝突する可能性のある他車両が位置する領域に限らず、たとえば、自車両の進行方向の領域であって、自車両の周辺の領域であってもよい。
【００４８】
特定部１３は、たとえば、自車両の位置情報、方位情報および地図情報に基づいてマップマッチングを行い、自車両の存在する道路区間を特定する。また、特定部１３は、たとえば、目的地情報またはウインカー情報、および地図情報に基づいて、自車両の進行先の交差点における進行方向を特定する。
【００４９】
そして、特定部１３は、特定した自車両の存在する道路区間および自車両の進行先の交差点における進行方向に基づいて、地図情報から道路区間の抽出を行うことにより、対象領域を特定する。以下、特定部１３によって特定される対象領域の具体例について説明する。
【００５０】
（ａ）対象領域の具体例（その１）
図２は、本発明の実施の形態に係る移動通信機の特定部によって特定される対象領域の具体例（その１）を説明するための図である。
【００５１】
ここでは、自車両２０Ａが進行先の交差点３０Ｘ（以下、単に「交差点３０Ｘ」とも称する。）を左折する場合について説明する。図２を参照して、特定部１３は、自車両２０Ａの前方における進行方向の道路区間Ｌ１１を地図情報から抽出し、抽出した道路区間Ｌ１１を対象領域とする。また、特定部１３は、道路区間Ｌ１１の対向方向の道路区間、すなわち道路区間Ｌ１１の対向車線の道路区間Ｌ１２を地図情報から抽出し、抽出した道路区間Ｌ１２を対象領域とする。
【００５２】
また、特定部１３は、自車両３０Ｘの後方における進行方向の道路区間Ｌ１３を地図情報から抽出し、抽出した道路区間Ｌ１３を対象領域とする。
【００５３】
また、特定部１３は、交差点３０Ｘからの進行方向の道路区間、すなわち自車両２０Ａが交差点３０Ｘの左折後に走行する道路区間Ｌ１４を地図情報から抽出し、抽出した道路区間Ｌ１４を対象領域とする。また、特定部１３は、道路区間Ｌ１４の対向方向の道路区間Ｌ１５を地図情報から抽出し、抽出した道路区間Ｌ１５を対象領域とする。
【００５４】
また、特定部１３は、交差点３０Ｘからの進行方向とは異なる方向の道路区間の対向方向の道路区間、すなわち車両が交差点３０Ｘを直進した場合に走行する道路区間の対向方向の道路区間Ｌ１６ａ、および、車両が交差点３０Ｘを右折した場合に走行する道路区間の対向方向の道路区間Ｌ１６ｂを地図情報から抽出し、抽出した道路区間Ｌ１６ａ，Ｌ１６ｂを対象領域とする。
【００５５】
さらに、特定部１３は、交差点３０Ｘ内のエリアＬ１７を地図情報から抽出し、抽出したエリアＬ１７を対象領域とする。このように、特定部１３は、道路区間Ｌ１１，Ｌ１２，Ｌ１３，Ｌ１４，Ｌ１５，Ｌ１６ａ，Ｌ１６ｂおよびエリアＬ１７を、対象領域として特定する。
【００５６】
（ｂ）対象領域の具体例（その２）
図３は、本発明の実施の形態に係る移動通信機の特定部によって特定される対象領域の具体例（その２）を説明するための図である。
【００５７】
ここでは、自車両２０Ａが進行先の交差点３０Ｘを右折する場合について説明する。図３を参照して、道路区間Ｌ２１，Ｌ２２，Ｌ２３およびエリアＬ２７は、図２に示す道路区間Ｌ１１，Ｌ１２，Ｌ１３およびエリアＬ１７と同じであるため、これらの説明は繰り返さない。
【００５８】
また、特定部１３は、交差点３０Ｘからの進行方向の道路区間、すなわち自車両２０Ａが交差点３０Ｘの右折後に走行する道路区間Ｌ２４を地図情報から抽出し、抽出した道路区間Ｌ２４を対象領域とする。また、特定部１３は、道路区間Ｌ２４の対向方向の道路区間Ｌ２５を地図情報から抽出し、抽出した道路区間Ｌ２５を対象領域とする。
【００５９】
また、特定部１３は、交差点３０Ｘからの進行方向とは異なる方向の道路区間の対向方向の道路区間、すなわち車両が交差点３０Ｘを左折した場合に走行する道路区間の対向方向の道路区間Ｌ２６ａ、および、車両が交差点３０Ｘを直進した場合に走行する道路区間の対向方向の道路区間Ｌ２６ｂを地図情報から抽出し、抽出した道路区間Ｌ２６ａ，Ｌ２６ｂを対象領域とする。
【００６０】
このように、特定部１３は、道路区間Ｌ２１，Ｌ２２，Ｌ２３，Ｌ２４，Ｌ２５，Ｌ２６ａ，Ｌ２６ｂおよびエリアＬ２７を、対象領域として特定する。
【００６１】
（ｃ）対象領域の具体例（その３）
図４は、本発明の実施の形態に係る移動通信機の特定部によって特定される対象領域の具体例（その３）を説明するための図である。
【００６２】
ここでは、自車両２０Ａが進行先の交差点３０Ｘを直進する場合について説明する。図４を参照して、道路区間Ｌ３１，Ｌ３２，Ｌ３３およびエリアＬ３７は、図２に示す道路区間Ｌ１１，Ｌ１２，Ｌ１３およびエリアＬ１７と同じであるため、これらの説明は繰り返さない。
【００６３】
また、特定部１３は、交差点３０Ｘからの進行方向の道路区間、すなわち自車両２０Ａが交差点３０Ｘの直進後に走行する道路区間Ｌ３４を地図情報から抽出し、抽出した道路区間Ｌ３４を対象領域とする。また、特定部１３は、道路区間Ｌ３４の対向方向の道路区間Ｌ３５を地図情報から抽出し、抽出した道路区間Ｌ３５を対象領域とする。
【００６４】
また、特定部１３は、交差点３０Ｘからの進行方向とは異なる方向の道路区間の対向方向の道路区間、すなわち車両が交差点３０Ｘを左折した場合に走行する道路区間の対向方向の道路区間Ｌ３６ａ、および、車両が交差点３０Ｘを右折した場合に走行する道路区間の対向方向の道路区間Ｌ３６ｂを地図情報から抽出し、抽出した道路区間Ｌ３６ａ，Ｌ３６ｂを対象領域とする。
【００６５】
このように、特定部１３は、道路区間Ｌ３１，Ｌ３２，Ｌ３３，Ｌ３４，Ｌ３５，Ｌ３６ａ，Ｌ３６ｂおよびエリアＬ３７を、対象領域として特定する。
【００６６】
［特定処理を行うか否かの判断］
再び図１を参照して、他車両情報取得部１４は、他の移動通信機からブロードキャストされた通信情報を取得する。通信情報は、たとえば、送信元である他の移動信機を搭載した車両（以下、「他車両」と称する。）の位置を示す位置情報、および、当該他の移動通信機のＩＤ（Ｉｄｅｎｔｉｆｉｃａｔｉｏｎ）を含む。
【００６７】
通信情報に含まれる位置情報は、たとえば、他車両のＧＰＳ受信機により得られた位置座標に基づいて、当該他車両のカーナビゲーションシステムのマップマッチングにより特定された、当該他車両の存在する道路区間を含む。
【００６８】
なお、位置情報は、ＧＰＳ受信機により得られた位置座標そのものを示す情報であってもよい。また、位置情報は、他車両の進む方位および角速度などの各種センサによる検出結果を示す情報であってもよい。
【００６９】
このような場合、他車両情報取得部１４は、たとえば、他車両の位置座標および各種センサによる検出結果を示す通信情報を取得し、取得した通信情報の示す位置座標および検出結果に基づいてマップマッチングを行うことにより、他車両の存在する道路区間を特定することができる。
【００７０】
また、自車両または他車両の存在する道路区間は、ＧＰＳ受信機により得られる位置座標に基づくマップマッチングにより特定される構成に限らず、たとえば、準天頂衛星またはＲＴＫ（Ｒｅａｌ  Ｔｉｍｅ  Ｋｉｎｅｍａｔｉｃ）−ＧＰＳを用いることで得られる情報に基づいて特定されてもよい。
【００７１】
他の移動通信機からブロードキャストされる通信情報は、たとえば、暗号化されていない位置情報およびＩＤの格納されたヘッダと、暗号化された、車両の安全に関する詳細情報、たとえば、速度情報、加速度情報、連続運転時間を示す情報、過去の走行に関する情報および運転者情報の格納されたペイロードとを含む。
【００７２】
過去の走行に関する情報は、たとえば、過去の走行時における速度情報の履歴および走行エリアを含む。また、運転者情報は、たとえば、運転者が運転初心者であるか否かを示す。
【００７３】
他車両情報取得部１４は、通信情報を取得すると、当該通信情報のヘッダに含まれる位置情報およびＩＤを取得し、たとえば、取得した位置情報およびＩＤを判断部１５へ出力する。
【００７４】
判断部１５は、他車両情報取得部１４から位置情報およびＩＤを受けると、たとえば、対象領域を示す対象領域情報を特定部１３に要求する。
【００７５】
特定部１３は、判断部１５から対象領域情報の要求を受けると、自車両情報特定部１２から最新の自車両情報を取得する。そして、特定部１３は、自車両情報取得部１２から取得した最新の自車両情報および地図情報保持部１１から取得した地図情報に基づいて対象領域を特定し、特定した対象領域を示す対象領域情報を判断部１５へ出力する。
【００７６】
判断部１５は、他車両情報取得部１４から受けた位置情報の示す位置たとえば他車両の存在する道路区間と、特定部１３から受けた対象領域情報の示す対象領域とを比較して、他車両の存在する道路区間が対象領域に含まれるか否かを確認する。
【００７７】
判断部１５は、たとえば他車両の存在する道路区間の少なくとも一部分が対象領域に含まれる場合、当該他車両の移動通信機からブロードキャストされた通信情報について、特定処理を行うと判断する。そして、判断部１５は、通信情報についての特定処理を行うと判断した場合、たとえば、当該通信情報の送信元のＩＤとともに、特定処理を行う旨の通知を認証部１６へ出力する。
【００７８】
一方、判断部１５は、たとえば他車両の存在する道路区間が対象領域に含まれない場合、当該他車両の移動通信機からブロードキャストされた通信情報について、特定処理を行わないと判断する。
【００７９】
［特定処理およびユーザへの通知］
認証部１６は、たとえば、通信情報の送信元のＩＤおよび当該通信情報についての特定処理を行う旨の通知を判断部１５から受けると、当該ＩＤに基づいて、当該通信情報の送信元の移動通信機（以下、「対象の移動通信機」と称する。）を特定する。そして、認証部１６は、特定した対象の移動通信機との間で、特定処理として認証処理を行う。
【００８０】
具体的には、認証部１６は、たとえば、対象の移動通信機に対して、通信情報のペイロード部分を復号化するためのキーの問い合わせを行う。そして、認証部１６は、たとえば、当該問い合わせの応答として、復号化のためのキーを対象の移動通信機から受信すると、受信したキーおよび当該対象の移動通信機のＩＤを解読部１７へ出力する。
【００８１】
解読部１７は、復号化のためのキーおよびＩＤを認証部１６から受けると、当該ＩＤを含む通信情報を他車両情報取得部１４から取得する。そして、解読部１７は、他車両情報取得部１４から取得した通信情報のペイロード部分を、認証部１６から受けたキーを用いて復号化することにより、特定処理として他車両の詳細情報の解読処理を行う。
【００８２】
また、解読部１７は、他車両情報取得部１４が当該ＩＤと同一のＩＤを含む通信情報を取得する度に、通信情報に含まれる詳細情報の解読処理を行い、解読結果である他車両の詳細情報に基づく内容を通知部１８へ出力する。
【００８３】
通知部１８は、解読部１７から解読結果を受けると、たとえばカーナビゲーションシステムの画面に当該解読結果である他車両の詳細情報に基づく内容を表示して、当該解読結果をユーザに通知する。
【００８４】
また、通知部１８は、たとえば、他車両が自車両に衝突する可能性が所定の基準を超える場合、具体的には他車両と自車両との距離が所定値未満となる場合または他車両の自車両へ近づく速度が所定値以上である場合、アラームを鳴らしてユーザに通知する構成であってもよい。
【００８５】
なお、本発明の実施の形態に係る移動通信機１０１は、カーナビゲーションシステムの装置に搭載されてもよい。また、本発明の実施の形態に係る移動通信機１０１は、車両に固定的に搭載される装置であるとしたが、移動通信機１０１は、車両に固定的に搭載されるものに限らず、タブレットおよびスマートフォンなどの人が携帯可能な通信機であってもよい。
【００８６】
（変形例１）
移動通信機１０１は、自車両が高速道路を走行している場合、通信情報についての特定処理を行うか否かの判断処理を行わない構成であってもよい。
【００８７】
たとえば、判断部１５は、自車両情報取得部１２から自車両の速度を示す速度情報を含む自車両情報を取得し、取得した自車両情報に含まれる当該速度情報の示す速度が所定値より大きい場合、自車両は高速道路を走行しているとして判断し、特定処理を行うか否かの判断処理は行わない。
【００８８】
また、判断部１５は、たとえば、当該速度情報の示す速度が所定値以下の場合、自車両は一般道路を走行していると判断し、特定処理を行うか否かの判断処理を行う。
【００８９】
このような構成により、たとえば、高速道路と一般道路とが地図上で重なるようなエリアにおいて自車両が高速道路を走行している場合、一般道路を走行している他車両からブロードキャストされた通信情報を取得したとしても、当該他車両からの通信情報について、特定処理を行うか否かの判断処理を行うことなく、特定処理の対象から外すことができる。
【００９０】
なお、移動通信機１０１は、自車両の高さ方向の位置に基づいて、自車両が高速道路を走行しているか否かを判断してもよい。
【００９１】
たとえば、判断部１５は、自車両情報取得部１２から自車両の高さ方向の位置を示す位置情報を含む自車両情報を取得し、取得した自車両情報に含まれる当該位置情報の示す高さ方向の位置に基づいて、自車両が高速道路を走行しているか否かを判断することができる。
【００９２】
（変形例２）
また、移動通信機１０１は、通信情報の受信強度が所定値よりも低い場合、通信情報についての特定処理を行うか否かの判断処理を行わない構成であってもよい。
【００９３】
たとえば、他車両情報取得部１４は、通信情報を取得すると、当該通信情報の受信強度を判断部１５に通知する。そして、判断部１５は、他車両情報取得部１４から通知された通信情報の受信強度が所定値よりも低い場合、当該通信情報の送信元である移動通信機を搭載した他車両は自車両から遠いと判断して、特定処理を行うか否かの判断処理は行わない。
【００９４】
このような構成により、自車両から遠い他車両の移動通信機からの通信情報について、特定処理を行うか否かの判断処理を行うことなく、特定処理の対象から外すことができる。
【００９５】
＜動作＞
次に、本発明の実施の形態に係る移動通信機１０１の動作について説明する。移動通信機１０１は、コンピュータを備え、当該コンピュータにおけるＣＰＵ等の演算処理部は、以下のフローチャートの各ステップの一部または全部を含むプログラムを図示しないメモリから読み出して実行する。この装置のプログラムは、外部からインストールすることができる。この装置のプログラムは、記録媒体に格納された状態で流通する。
【００９６】
図５は、本発明の実施の形態に係る移動通信機の動作手順を定めたフローチャートである。
【００９７】
図５を参照して、まず、移動通信機１０１は、他の移動通信機からブロードキャストされた通信情報を取得する（ステップＳ１１）。
【００９８】
次に、移動通信機１０１は、自車両の位置情報および方位情報を含む最新の自車両情報を取得する（ステップＳ１２）。
【００９９】
次に、移動通信機１０１は、自車両情報に含まれる位置情報および方位情報、自車両の進行先の交差点における進行方向、ならびに地図情報に基づいて、自車両と衝突する可能性のある他車両が位置する領域である対象領域を特定する（ステップＳ１３）。
【０１００】
次に、移動通信機１０１は、取得した通信情報に含まれる位置情報を取得し、たとえば、取得した位置情報の示す他車両の存在する道路区間と特定した対象領域とを比較し（ステップＳ１４）、比較結果に基づいて、通信情報についての特定処理を行うか否かを判断する（ステップＳ１５）。
【０１０１】
そして、移動通信機１０１は、たとえば、他車両の存在する道路区間の少なくとも一部分が対象領域に含まれる場合、通信情報についての特定処理を行うと判断し（ステップＳ１５において「ＹＥＳ」）、当該他車両の移動通信機との間で認証処理を行う（ステップＳ１６）。
【０１０２】
次に、移動通信機１０１は、たとえば、認証処理において当該他車両の移動通信機から通信情報のペイロード部分の復号化のためのキーを取得すると、取得した当該キーを用いて当該他車両の移動通信機からの通信情報の解読処理を行い、解読結果である他車両の詳細情報に基づく内容をユーザに通知する（ステップＳ１７）。
【０１０３】
一方、移動通信機１０１は、たとえば、他車両の存在する道路区間が対象領域に含まれない場合、通信情報についての特定処理を行わないと判断し（ステップＳ１５において「ＮＯ」）、特定処理すなわち認証処理および解読処理を行わない。
【０１０４】
ところで、上述した特許文献１に記載の車車間通信システムのように車両間で位置情報の送受信が行われるシステムでは、渋滞時など自車両の周辺に多くの他車両が存在する場合、これら多くの他車両からそれぞれ送信される位置情報等を受信することにより、自車両の通信処理の負荷が大きくなるという問題がある。
【０１０５】
これに対して、本発明の実施の形態に係る移動通信機１０１では、他車両情報取得部１４は、他の移動通信機からブロードキャストされた通信情報を取得し、取得した通信情報に含まれる、他の移動通信機に係る位置を含む位置情報を取得する。また、特定部１３は、自己の移動通信機１０１の位置および方位に基づいて対象領域を特定する。また、判断部１５は、他車両情報取得部１４により取得された位置情報の示す位置と、特定部１３により特定された対象領域とを比較し、比較結果に基づいて、通信情報についての特定処理を行うか否かを判断する判断処理を行う。
【０１０６】
このような構成により、自己の移動通信機１０１の周辺に多くの他の移動通信機が存在する状況であっても、たとえば、特定処理の対象となる通信情報を、対象領域内の他の移動通信機からブロードキャストされた通信情報に限定することができる。このため、通信処理の負荷を効果的に減らすことができる。
【０１０７】
また、本発明の実施の形態に係る移動通信機１０１では、対象領域は、自己の移動通信機１０１の搭載された自車両と衝突する可能性のある車両が位置する領域である。
【０１０８】
このような構成により、特定処理を行う必要性の高い通信情報を適切に判断することができる。
【０１０９】
また、本発明の実施の形態に係る移動通信機１０１では、特定部１３は、自車両の位置および方位ならびに進行先の交差点からの進行方向に基づいて対象領域を特定する。
【０１１０】
このように、自車両の走行経路に応じて対象領域を特定することができるため、特定処理を行う必要性の高い通信情報をより適切に判断することができる。
【０１１１】
また、本発明の実施の形態に係る移動通信機１０１では、対象領域は、自車両の前方における進行方向の道路区間および進行方向の対向方向の道路区間を含む。
【０１１２】
このように、対象領域内に存在する他の移動通信機からの通信情報について特定処理を行う構成により、たとえば、自車両が追突するおそれのある、自車両の前方に存在する他車両に関する情報を取得することができる。
【０１１３】
また、本発明の実施の形態に係る移動通信機１０１では、対象領域は、自車両の後方における進行方向の道路区間を含む。
【０１１４】
このように、対象領域内に存在する他の移動通信機からの通信情報について特定処理を行う構成により、たとえば、自車両へ追突するおそれのある、自車両の後方に存在する他車両に関する情報を取得することができる。
【０１１５】
また、本発明の実施の形態に係る移動通信機１０１では、対象領域は、自車両の進行先の交差点からの進行方向の道路区間および進行方向の対向方向の道路区間を含む。
【０１１６】
このように、対象領域内に存在する他の移動通信機からの通信情報について特定処理を行う構成により、たとえば、自車両が交差点を通過後に追突するおそれのある他車両に関する情報を取得することができる。
【０１１７】
また、本発明の実施の形態に係る移動通信機１０１では、対象領域は、自車両の進行先の交差点からの進行方向とは異なる方向の対向方向の道路区間を含む。
【０１１８】
このように、対象領域内に存在する他の移動通信機からの通信情報について特定処理を行う構成により、たとえば、交差点内のエリアにおいて自車両が追突するおそれのある他車両に関する情報を取得することができる。
【０１１９】
また、本発明の実施の形態に係る移動通信機１０１では、判断部１５は、自己の移動通信機１０１の移動速度が所定値以下の場合に判断処理を行う。
【０１２０】
このような構成により、たとえば、高速道路と一般道路とが地図上で重なるようなエリアにおいて自車両が高速道路を走行している場合、一般道路を走行している他車両の移動通信機からブロードキャストされた通信情報を取得したとしても、当該他車両からの通信情報について、特定処理を行うか否かの判断処理を行うことなく、特定処理の対象から外すことができる。
【０１２１】
また、本発明の実施の形態に係る移動通信機１０１では、各位置は、高さ方向の位置を含む。
【０１２２】
このような構成により、たとえば、自車両が高速道路を走行しているか否かを容易に判断することができる。
【０１２３】
また、本発明の実施の形態に係る移動通信機１０１では、位置情報は、他の移動通信機に係る方位をさらに含む。
【０１２４】
このような構成により、他の移動通信機の搭載された他車両の進行方向を把握して、当該他車両の位置する領域を精度よく特定することができる。
【０１２５】
また、本発明の実施の形態に係る移動通信機１０１では、特定処理は、他の移動通信機との認証処理を含む。
【０１２６】
このような構成により、たとえば、対象領域内に存在しない他の移動通信機からの通信情報については、通信処理の負荷が大きい認証処理を行わないようにすることができるため、通信処理の負荷をより効果的に減らすことができる。
【０１２７】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１２８】
以上の説明は、以下に付記する特徴を含む。
【０１２９】
［付記１］
他の移動通信機からブロードキャストされた通信情報を取得し、取得した前記通信情報に含まれる、前記他の移動通信機に係る位置を含む位置情報を取得する取得部と、
自己の移動通信機の位置および方位に基づいて対象領域を特定する特定部と、
前記取得部により取得された前記位置情報の前記位置と、前記特定部により特定された前記対象領域とを比較し、比較結果に基づいて、前記通信情報についての特定処理を行うか否かを判断する判断処理を行う判断部とを備える移動通信機であって、
前記通信情報は、暗号化されていない位置情報およびＩＤ（Ｉｄｅｎｔｉｆｉｃａｔｉｏｎ）の格納されたヘッダと、暗号化された、車両の安全に関する詳細情報の格納されたペイロードとを含み、
前記移動通信機は、さらに、
前記特定処理において、前記通信情報の前記ペイロード部分を復号化するためのキーを取得する認証部を備える、移動通信機。
【符号の説明】
【０１３０】
１１  地図情報保持部
１２  自車両情報取得部
１３  特定部
１４  他車両情報取得部
１５  判断部
１６  認証部
１７  解読部
１８  通知部
２０Ａ  自車両
３０Ｘ  交差点
１０１  移動通信機
【図１】
2018018245.tif 000003
【図２】
2018018245.tif 000004
【図３】
2018018245.tif 000005
【図４】
2018018245.tif 000006
【図５】
2018018245.tif 000007